(57)【要約】【課題】本発明は、手動で版胴の外周面側に版を取り付ける作業を簡易化又は効率化する技術を提供すること。【解決手段】この印刷機の万力装置は、版胴と、版溝と、版溝に設けられた上歯及び下歯と、上歯を開閉させる上歯開閉機構と、上歯の全開状態から上歯と下歯とで版を把持する状態に至るまでの間の位置であって、前記版の一方の端を版胴に固定した状態で前記版の他端が上歯に接触して前記版を版胴の外周面に仮止めできる版仮止め位置で上歯を停止させる版仮止め位置上歯停止手段１０とを有する。【選択図】        図５
2009178890.tif 000002
【特許請求の範囲】
【請求項１】
版胴の版溝内に設けられた印刷機の万力装置において、
前記版溝に設けられた前記版の端を把持する上歯及び下歯と、
前記上歯を開閉させる上歯開閉機構と、
前記上歯の全開状態から前記上歯と前記下歯とで前記版を把持する状態に至るまでの間の位置であって、前記版の一方の端を前記版胴に固定した状態で前記版の他端が前記上歯に接触して前記版を前記版胴の外周面に仮止めできる版仮止め位置で前記上歯を停止させる版仮止め位置上歯停止手段と、
を有することを特徴とする印刷機の万力装置。
【請求項２】
前記上歯開閉機構は、
前記上歯の一端と前記版溝とを繋いで前記上歯の一端を前記版溝の方向に接近させるような付勢力を発生させる第１の付勢手段と、前記版胴の端部の平面である版胴端部に設けられた操作レバーと、前記版溝内に設けられて前記版溝に固定された部分を中心として揺動する揺動体とを有し、前記揺動体が揺動する際に前記上歯の一端を前記版溝から遠ざけるように押圧することで、前記上歯が前記上歯回転軸を中心に回転して前記上歯の他端が前記下歯と接近する前記上歯開閉機構であって、
構前記版仮止め位置上歯停止手段は、
前記版胴端部の面上、かつ前記操作レバーが前記版胴端部で描く軌跡上に設けられた溝である版胴端部溝に設けられており、ピンと前記ピンと前記版胴端部溝とを繋いで前記ピンを前記版胴端部溝から突出させる付勢力を発生させる前記第３の付勢手段を有し、
前記第３の付勢手段は、手動で前記操作レバーを回転する際の力が前記ピンに加わる際に圧縮されることを特徴とする請求項１に記載の印刷機の万力装置。
【請求項３】
前記上歯開閉機構は、
前記上歯の一端と前記版溝とを繋いで前記上歯の一端を前記版溝の方向に接近させるような付勢力を発生させる第１の付勢手段と、前記上歯の一端と他端との間に設けられていて前記版胴と前記上歯とを結合させる上歯回転軸と、前記上歯の一端と前記上歯回転軸との間に設けられるとともに、先端部にピストンを備えて前記ピストンを前記上歯から遠ざけるような付勢力を発生させる第２の付勢手段と、前記版溝内に設けられていて前記版溝に固定された部分を中心として揺動する揺動体と、を有し、前記揺動体が揺動する際に前記ピストンと接触して押圧することで前記上歯の一端を前記版溝から遠ざけて前記上歯が前記上歯回転軸を中心に回転することで前記上歯の他端が前記下歯と接近する前記上歯開閉機構であって、
前記版仮止め位置上歯停止手段は、
前記ピストンの面上かつ前記揺動体が揺動する際に前記揺動体が前記ピストンの面上で描く軌跡上に設けられた溝である前記ピストン面の溝に設けられており、ピンと前記ピンと前記ピストン面の溝とを繋いで前記ピンを前記ピストン面の溝から突出させる付勢力を発生させる第４の付勢手段を有し、
前記第４の付勢手段は、手動で前記操作レバーを操作して前記揺動体が回転する際の力が前記ピンに加わると前記第４の付勢手段が圧縮されることを特徴とする請求項１に記載の印刷機の万力装置。
【請求項４】
請求項１〜３のいずれか１項に記載の印刷機の万力装置が設けられて被印刷媒体に印刷を施す版胴を有する印刷部と、
前記印刷部へ前記被印刷媒体を供給する被印刷媒体供給装置と、
前記印刷部で印刷が施された前記被印刷媒体を排出する被印刷媒体排出装置と、
を備えることを特徴とする印刷機。
【請求項５】
版胴の版溝に設けられた前記版の端を把持する上歯及び下歯と、前記上歯を開閉させる上歯開閉機構と、前記上歯の全開状態から前記上歯と前記下歯とで前記版を把持する状態に至るまでの間の位置であって、前記版の一方の端を前記版胴に固定した状態で前記版の他端が前記上歯に接触して前記版を前記版胴の外周面に仮止めできる版仮止め位置で前記上歯を停止させる版仮止め位置上歯停止手段とを有する印刷機の万力装置に前記版を張り付けるにあたって、
前記版の一方の端を前記版胴に固定し、前記上歯の全開状態から前記上歯と前記下歯とで前記版を把持する状態に至るまでの間の位置であって、前記版の一方の端を前記上歯と前記下歯とで把持した状態で前記版の他端が前記上歯に接触して前記版を仮止めできる版仮止め位置で前記上歯を停止させた状態で、前記版仮止め位置に停止している前記上歯と前記下歯との隙間に前記版の他端を差し込む手順と、
前記版仮止め位置に停止している前記上歯と前記下歯との隙間に前記版の他端が差し込まれた状態で前記上歯を閉じて前記版の他端を前記上歯と前記下歯とで把持して前記版を張り付ける手順と、
を含むことを特徴とする版張り付け方法。
【発明の詳細な説明】
【技術分野】
【０００１】
本発明は、印刷機に設けられる印刷機の万力装置及びこの万力装置を備える印刷機、並びに印刷機の版胴に版を取り付ける版張り付け方法に関する。
【背景技術】
【０００２】
印刷機は一般的に、給紙部、印刷部、及び排紙部から構成されており、１枚状のシート等の印刷用紙を前記給紙部から給送して前記印刷部で印刷し、印刷された前記印刷用紙を前記排紙装置から前記印刷機外部に排紙する。ここで、前記印刷部は、複数の版胴から構成されており、前記版胴に版を取り付けてこれにインキを塗布することでシート等に印刷することが可能となる。
【０００３】
前記版胴には、例えば特許文献１に示すように、前記版を取り付けるための版万力装置が設けられている。この版万力装置は、版の端を把持するための上歯と下歯とから構成される咥え側万力と、同様に上歯と下歯とから構成される咥え尻側万力により構成されている。前記咥え側万力は、前記版を取り付ける際に、前もって前記版の一方の端を把持する側であり、前記咥え尻側万力は、前記版を取り付けて前記版の他端を最終的に把持する側である。前記版の装着は、まず前記咥え側万力において開口した上歯と下歯との間に前記版の一方の端を挿入して把持させ、続いて押さえローラ等の工具で前記版の表面を押しつけた状態で前記版胴を回転させ、最後に前記咥え尻側万力で開口した前記上歯と下歯との間へ前記版の他端を挿入して把持させることにより行われる。
【０００４】
【特許文献１】特開２００６−１８１７６６号公報（段落番号０００３、図３、図８）
【発明の開示】
【発明が解決しようとする課題】
【０００５】
しかしながら、特許文献１に開示された前記版万力装置では、手動で前記版を取り付ける場合、版取り付け作業が、非常に手間を要する作業となるという問題を有する。通常、前記咥え尻側万力の前記下歯に沿わせるように前記版の後端を挿入して把持させるところ、前記咥え尻側万力の前記上歯は、前記版が取り付けられる際に干渉とならない程度の位置まで開いている。そのため、前記咥え尻側万力の前記上歯と前記下歯との間に前記版の他端を挿入し、約１メートルの幅を有する前記版を満遍なく押さえた状態で、上歯７を最終的に全閉状態としなければならない。つまり、通常は、１人の作業員が、両手で押さえローラ等の工具を使用しながら前記版を満遍なく押さえる作業を担当し、もう１人の作業員が前記咥え尻側万力の前記上歯を閉める作業を担当することが多い。前記版を押さえる作業と、前記咥え尻側万力の前記上歯を閉める作業とを同時的に行わなければならないため、このような非常に手間を要する作業となってしまう。
【０００６】
本発明は、上記問題点に鑑み、手動で版胴の外周面側に版を取り付ける作業を簡易化又は効率化できる印刷機の万力装置及び印刷機、並びに版張り付け方法を提供することを課題とする。
【課題を解決するための手段】
【０００７】
上述した課題を解決し、目的を達成するために、本発明に係る印刷機の万力装置は、版胴の版溝内に設けられた印刷機の万力装置において、前記版溝に設けられた前記版の端を把持する上歯及び下歯と、前記上歯を開閉させる上歯開閉機構と、前記上歯の全開状態から前記上歯と前記下歯とで前記版を把持する状態に至るまでの間の位置であって、前記版の一方の端を前記版胴に固定した状態で前記版の他端が前記上歯に接触して前記版を前記版胴の外周面に仮止めできる版仮止め位置で前記上歯を停止させる版仮止め位置上歯停止手段とを有することを特徴とする。
【０００８】
これによって、前記版の一方の端を前記版胴に固定した状態で前記版を前記版胴の外周面に仮止めできるように前記上歯を停止させる作用がある。その結果として、手動で版胴の外周面側に版を取り付ける作業を簡易化又は効率化することができる。ここで、前記版の一方の端と他端とは、前記版胴に前記版を取り付けて回転させたときに、回転方向と垂直に交差するように伸びた前記版の一対の端である。また、前記上歯の全開状態とは、前記上歯と前記下歯とが最大限離れたときの前記上歯の位置状態をいう。また、前記上歯と前記下歯とで前記版を把持する状態にあるときにおける前記上歯の状態を、以下、単に全閉状態ということもある。
【０００９】
本発明の好ましい態様としては、前記本発明において、前記上歯開閉機構は、前記上歯の一端と前記版溝とを繋いで前記上歯の一端を前記版溝の方向に接近させるような付勢力を発生させる第１の付勢手段と、前記版胴の端部の平面である版胴端部に設けられた操作レバーと、前記版溝内に設けられて前記版溝に固定された部分を中心として揺動する揺動体とを有し、前記揺動体が揺動する際に前記上歯の一端を前記版溝から遠ざけるように押圧することで、前記上歯が前記上歯回転軸を中心に回転して前記上歯の他端が前記下歯と接近する前記上歯開閉機構であって、構前記版仮止め位置上歯停止手段は、前記版胴端部の面上、かつ前記操作レバーが前記版胴端部で描く軌跡上に設けられた溝である版胴端部溝に設けられており、ピンと前記ピンと前記版胴端部溝とを繋いで前記ピンを前記版胴端部溝から突出させる付勢力を発生させる前記第３の付勢手段を有し、前記第３の付勢手段は、手動で前記操作レバーを回転する際の力が前記ピンに加わる際に圧縮されることが望ましい。
【００１０】
これによって、前記版の一方の端を前記版胴に固定した状態で前記版を前記版胴の外周面に仮止めできるように前記上歯を停止させる作用がある。その結果として、手動で版胴の外周面側に版を取り付ける作業を簡易化又は効率化することができる。
【００１１】
本発明の好ましい態様としては、前記本発明において、前記上歯開閉機構は、前記上歯の一端と前記版溝とを繋いで前記上歯の一端を前記版溝の方向に接近させるような付勢力を発生させる第１の付勢手段と、前記上歯の一端と他端との間に設けられていて前記版胴と前記上歯とを結合させる上歯回転軸と、前記上歯の一端と前記上歯回転軸との間に設けられるとともに、先端部にピストンを備えて前記ピストンを前記上歯から遠ざけるような付勢力を発生させる第２の付勢手段と、前記版溝内に設けられていて前記版溝に固定された部分を中心として揺動する揺動体と、を有し、前記揺動体が揺動する際に前記ピストンと接触して押圧することで前記上歯の一端を前記版溝から遠ざけて前記上歯が前記上歯回転軸を中心に回転することで前記上歯の他端が前記下歯と接近する前記上歯開閉機構であって、前記版仮止め位置上歯停止手段は、前記ピストンの面上かつ前記揺動体が揺動する際に前記揺動体が前記ピストンの面上で描く軌跡上に設けられた溝である前記ピストン面の溝に設けられており、ピンと前記ピンと前記ピストン面の溝とを繋いで前記ピンを前記ピストン面の溝から突出させる付勢力を発生させる第４の付勢手段を有し、前記第４の付勢手段は、手動で前記操作レバーを操作して前記揺動体が回転する際の力が前記ピンに加わると前記第４の付勢手段が圧縮されることが望ましい。
【００１２】
これによって、前記版の一方の端を前記版胴に固定した状態で前記版を前記版胴の外周面に仮止めできるように前記上歯を停止させる作用がある。その結果として、手動で版胴の外周面側に版を取り付ける作業を簡易化又は効率化することができる。
【００１３】
上述した課題を解決し、目的を達成するために、本発明に係る印刷機は、前記印刷機の万力装置が設けられて被印刷媒体に印刷を施す版胴を有する印刷部と、前記印刷部へ前記被印刷媒体を供給する被印刷媒体供給装置と、前記印刷部で印刷が施された前記被印刷媒体を排出する被印刷媒体排出装置と、を備えることを特徴とする。これによって、前記版を版胴に取り付ける際には、上歯は完全には開かない状態で停止する。そして、上歯が停止する位置は、前記版の一方の端を前記版胴に固定した状態において、前記版の他端を前記上歯と前記下歯との間に差し込んだ場合には、前記他端が前記上歯に接触する位置である。このため、前記他端を上歯と下歯との間に容易に差し込むことができる。その結果として、手動で版胴の外周面側に版を取り付ける作業を簡易化又は効率化できる。
【００１４】
上述した課題を解決し、目的を達成するために、本発明に係る版張り付け方法は、版胴の版溝に設けられた前記版の端を把持する上歯及び下歯と、前記上歯を開閉させる上歯開閉機構と、前記上歯の全開状態から前記上歯と前記下歯とで前記版を把持する状態に至るまでの間の位置であって、前記版の一方の端を前記版胴に固定した状態で前記版の他端が前記上歯に接触して前記版を前記版胴の外周面に仮止めできる版仮止め位置で前記上歯を停止させる版仮止め位置上歯停止手段とを有する印刷機の万力装置に前記版を張り付けるにあたって、前記版の一方の端を前記版胴に固定し、前記上歯の全開状態から前記上歯と前記下歯とで前記版を把持する状態に至るまでの間の位置であって、前記版の一方の端を前記上歯と前記下歯とで把持した状態で前記版の他端が前記上歯に接触して前記版を仮止めできる版仮止め位置で前記上歯を停止させた状態で、前記版仮止め位置に停止している前記上歯と前記下歯との隙間に前記版の他端を差し込む手順と、前記版仮止め位置に停止している前記上歯と前記下歯との隙間に前記版の他端が差し込まれた状態で前記上歯を閉じて前記版の他端を前記上歯と前記下歯とで把持して前記版を張り付ける手順と、を含むことを特徴とする。これによって、手動で版胴の外周面側に版を取り付ける作業を簡易化又は効率化できる。
【発明の効果】
【００１５】
本発明によれば、手動で版胴の外周面側に版を取り付ける作業も、１人の作業員でも簡単に行うことができ、版取り付け作業の簡易化、効率化を測ることができる。
【発明を実施するための最良の形態】
【００１６】
以下、この発明につき図面を参照しつつ詳細に説明する。なお、この実施の形態によりこの発明が限定されるものではない。また、下記実施の形態における構成要素には、当業者が容易に想定できるもの、実質的に同一のもの、いわゆる均等の範囲のものが含まれる。
【実施例１】
【００１７】
図１は、本発明の実施例１に係る印刷機の概略図である。実施例１に係る印刷機１０００について図１を参照して説明する。ここで、印刷機１０００において、印刷される印刷用紙、すなわち被印刷媒体をシートＰとする。印刷機１０００は、シートＰを印刷部２００へ給送して供給する給紙装置（被印刷媒体供給装置）１００と、シートＰに印刷を施すための版胴１を有する印刷部２００と、印刷が施されたシートＰを印刷機１０００の外部に排出する排紙装置（被印刷媒体排出装置）３００とを主要部として構成されている。
【００１８】
図２及び図３は、本発明の実施例１に係る版胴の斜視図である。実施例１に係る版胴１について図２を参照して説明する。ここで、版胴１に取り付けられる版を版Ｈとする。版胴１は、回転軸２と、版溝３と、万力装置４とから構成される。版溝３は、回転軸２の長手方向に沿って版胴１の外周面に設けられた溝である。版溝３内には、後述する万力装置４が設けられている。万力装置４は、咥え尻側万力５と、咥え側万力６とから構成される。咥え側万力６で版Ｈの一方の端を、咥え尻側万力５で版Ｈの他方の端を把持することで、版Ｈを版胴１に取り付けた状態で接着することができる。
【００１９】
図４は、図２のＢ−Ｂ線に沿って切断した断面図であって、版胴１に版が取り付けられている状態を示した咥え尻側万力の構成の概略図である。図５は、図２のＡ方向から見た咥え尻側万力の構成を示す図である。図７−１、図７−２、及び図７−３は、各々図５のＣ−Ｃ線に沿って切断した断面図であり、実施例１に係る操作レバーの位置に応じた版仮止め位置上歯停止手段の状態を示した図である。実施例１に係る咥え尻側万力５の構成について、図４、図５、図７−１、及び図７−２を参照して説明する。
【００２０】
咥え尻側万力５は、上歯７と、下歯８と、上歯開閉機構９と、図５に示す版仮止め位置上歯停止手段１０とから構成される。上歯開閉機構９は、第１付勢力としての第１バネ１１と、第２付勢力としての第２バネ１２と、ピストン１３と、支持体１４と、ローラフォロア１５と、揺動腕２７と、揺動腕端部２８と、上歯回転軸１６と、堰１７と、図５に示す操作レバー１８とから構成される。また、版仮止め位置上歯停止手段１０は、図７−１に示すように、第３バネ２０とピン２１とから構成される。
【００２１】
第１バネ１１は、上歯７の端である上歯端部７ａと版溝３とを繋ぐ。ここで、上歯端部７ａとは、上歯７と下歯８とで版Ｈを把持する際に版Ｈと接触する上歯７の部分を上歯先端部７ｂとしたときのその逆側の端部である。そして、第１バネ１１は、上歯端部７aが版溝３から遠ざかる方向に移動される際に、これを版溝３の方向へ近づけるような第１付勢力Ｆ１を発生させる。なお、第１バネ１１は、引っ張りばねの替わりに上歯回転軸１６まわりに配置したねじりばねでも良い。一方、第２バネ１２は、上歯７の中腹に設けられており、その先端にピストン１３が設けられている。そして、第２バネ１２は、ピストン１３を上歯７から遠ざけて版溝３に近づける方向に第２付勢力Ｆ２を発生させる。ここで、第１付勢力Ｆ１と上歯回転軸１６から第１バネ１１までの距離との積を第１モーメントＭ１として、外力Ｆ０と上歯回転軸１６からローラフォロア１５及びピストン１３が接触している箇所までの距離との積を第２モーメントＭ２とする。第１モーメントＭ１は、上歯回転軸１６を中心として上歯７を図４の反時計回りに回転させる力であり、第２モーメントＭ２は、上歯回転軸１６を中心として上歯７を図４の時計回りに回転させる力である。そして、第２モーメントＭ２が、第１モーメントＭ１に勝るとき、上歯７は上歯回転軸１６を中心として回転し、上歯先端部７ｂは下歯８に徐々に近接するように閉動作が可能となる。
【００２２】
支持体１４と、ローラフォロア１５と、揺動腕２７と、揺動腕端部２８とは、溝部３内に一体的な構造となって設けられている。そして、支持体１４を中心として、ローラフォロア１５と、揺動腕２７と、揺動腕端部２８とは、一体となって揺動することが可能となる。揺動する際に、ピストン１３と接触することとなるが、このときにピストン１３を介して第２バネに外力が加わって、上記のような上歯７の閉動作が可能となる。
【００２３】
操作レバー１８は、支持体１４の軸方向端部にあって図５に示すように、版胴端部１aに設けられている。実線で描かれた操作レバー１８の位置のとき、上歯７が全開状態になっている。このときの操作レバー１８の位置を位置Ｘとする。また、破線で描かれた操作レバー１８の位置のとき、上歯７が全閉状態になっているところ、このときの操作レバー１８の位置を位置Ｙとする。操作レバー１８を位置Ｘから位置Ｙへと図５の時計回りに回していくと支持体１４の軸が回転し、ローラフォロア１５等が揺動して、結果的に上歯７の閉動作が可能となる。以上の上歯開閉機構９の作用については、後に詳述する。
【００２４】
版仮止め位置上歯停止手段１０は、図７−１に示すように、版胴端部１aに設けられた版胴端部溝１９に設けられており、操作レバー１８が操作される際に操作レバー１８が描く軌跡上に設けられている。第３バネ２０は、版胴端部溝１９とピン２１とを繋ぐ。そして、第３バネ２０は、ピン２１を介して外力が加わることで圧縮され、ピン２１が版胴端部溝１９内に埋まる。
【００２５】
ピン２１は、ピン２１を介して第３バネを圧縮するに必要な第３バネ付勢力Ｆ３よりも大きな力が加わることで、第３バネ２０が圧縮され、徐々に版胴端部溝１９内に埋め込まれていく。そして最終的には、図７−２に示すように、ピン２１全体が版胴端部溝１９内に埋め込まれる。一方、ピン２１は、第３バネ付勢力Ｆ３よりも小さい力が加わるだけでは、図７−１や図７−３に示すように、第３バネ付勢力Ｆ３の作用により版胴端部１a上から突出している。
【００２６】
ここで、図７−１から図７−２に至るまでに、ピン２１には、操作レバー１８が回る際の操作レバー回転力Ｆr１が加わる。そして、操作レバー回転力Ｆr１の一成分力が第３バネ２０を押圧する第３バネ押圧力Ｆt１となり、押圧力Ｆt１が第３バネ付勢力Ｆ３よりも大きくなるような操作レバー回転力Ｆr１で操作レバー１８を回すときに第３バネ２０は圧縮されてピン２１は版胴端部溝１９内に埋め込まれる。反対に、第３バネ押圧力Ｆt１が第３バネ付勢力Ｆ３よりも小さくなるような操作レバー回転力Ｆr１では操作レバー１８を回すときに第３バネ２０は圧縮されずにピン２１は版胴端部１a上から突出した状態を維持する。例えば、図７−３に示す状態では、操作レバー１８に対して手動で何ら操作をしていないが、ローラフォロア１５等の揺動体が元の位置に戻ろうとする力が働く。しかし、このときの操作レバー回転力Ｆr１は、手動で操作するときのそれと比較して小さく、このときの第３バネ押圧力Ｆt１は第３バネ付勢力Ｆ３よりも小さい力となっている。
【００２７】
次に、上歯開閉機構９及び版仮止め位置上歯停止手段１０の作用について説明する。ここで、図６−１、図６−２、及び図６−３は、各々実施例１に係る上歯の開閉動作に応じた上歯開閉機構の状態を示した図である。
【００２８】
まず、実施例１に係る上歯開閉機構９の作用について図４、図５、図６−１、図６−２、及び図６−３を用いて説明する。操作レバー１８が位置Ｘにあるときは、上歯７は全開状態となっている。図６−１は、上歯７が全開状態であるときの上歯開閉機構９の状態を示している。ローラフォロア１５は下歯８の側面８aと接するように停止しており、ピストン１３とは離れている。したがって、バネ１２又は上歯７に作用する外力はないため、上歯７は全開状態となっている。
【００２９】
操作レバー１８を、位置Ｘから位置Ｙの方向へと図５の時計回りに回していくと、支持体１４の中心軸が回転し、これに伴ってローラフォロア１５が揺動するので、下歯の側面８aから離れて時機にピストン１３と接触する。そして、図４に示す第２モーメントＭ２が第１モーメントＭ１よりも大きくなったときに上歯７は閉動作を開始する。すなわち、ローラフォロア１５によって、ピストン１３及びバネ１２を介して上歯７の中腹は版溝３から遠ざかって、上歯７は上歯回転軸１６を中心として回転し、上歯先端部７ｂは下歯８に徐々に接近する。これに伴って、バネ１１は引き伸ばされる。
【００３０】
ここで、図６−２は、上歯７の全開状態から上歯７の全閉状態に至るまでの間の位置であって、版Ｈを版胴１の外周面に仮止めするときの仮止め位置に上歯７があるときの上歯開閉機構９の状態を示している。なお、上歯７の仮止め位置とは、咥え尻万力６において版Ｈの一方の端を固定した状態で、版Ｈの他端が上歯７と接触するような位置である。上歯７の仮止め位置は、好ましくは上歯７と下歯８との間隔の最も狭い個所である隙間Sが２mmから５mm程度である。
【００３１】
さらに操作レバー１８を図５の時計回りに回すと、操作レバー１８は最終的に位置Ｙに至り、上歯７は全閉状態となる。図６−３は、上歯７が全閉状態であるときの上歯開閉機構９の状態を示している。このとき揺動腕端２８は堰１７と接触し、これ以上図５の反時計回りの回転が規制される。このとき、図６−２の状態よりもさらに、ローラフォロア１５が、ピストン１３及び第２バネ１２を版溝から遠ざかる方向に押圧しており、上歯回転軸１６を中心として回転した上歯７は、挿入された版Ｈを上歯７と下歯８とで把持できる位置、すなわち全閉状態で停止する。
【００３２】
以上の流れが上歯７の閉動作を実現する上歯開閉機構９の作用であるが、これと逆の手順、すなわち操作レバー１８を位置Ｙから位置Ｘへと図５の反時計回りに回していくことで、図６−３から図６−１へと上歯７の開動作を実現する上歯開閉機構９の作用がなされる。ここで、第１バネ付勢力Ｆ１によって上歯７aは版溝３に接近するような方向に移動し、第２バネ付勢力Ｆ２によってピストン１３は上歯７から遠ざかる方向に移動する。すなわち、最終的には図６−１の状態となる。
【００３３】
次に、版仮止め位置上歯停止手段１０の作用について図７−１、図７−２、及び図７−３を用いて説明する。ここで、図７−１から図７−３へと順々に移行するにつれ、操作レバー１８は位置Ｘの方向から位置Ｙの方向へと図５の時計回りに回されているものとする。すなわち、上歯７は閉動作を行っているものとする。また、図７−３で示されている操作レバー１８及び版仮止め位置上歯停止手段１０の状態のときに対応する上歯７及び上歯開閉機構９の状態が、図６−２である。
【００３４】
まず、操作レバー１８を位置Ｘから図５の時計回りに回すと、図７−１のように、操作レバー１８はピン２１に接触する。さらに操作レバー１８を図５の時計回りに回転させると、ピン２１を介して第３バネ２０が圧縮される。こうして、第３バネ２０が押圧されて圧縮されるに従い、徐々にピン２１が版胴端部溝１９内に埋まっていく。
【００３５】
操作レバー１８をさらに図５の時計回りに回すと、やがて図７−２のように完全にピン２１が版胴端部溝１９の中に埋まる。さらに操作レバー１８を図５の時計回りに回すと、ピン２１を介して第３バネに加わる外力は徐々に除かれて、操作レバー１８が図７−３で示した位置に至ったところで、ピン２１を介して第３バネに加わる外力は完全に除かれ、版仮止め位置上歯停止手段１０は図７−１で示す状態に戻り、ピン２１は版胴端部１a上から突出する。
【００３６】
ここで、操作レバー１８が図７−３で示した位置に至ったところで、操作レバー１８の操作を止めると、ピン２１がストッパーとなるため、操作レバー１８は位置Ｘの方向へ戻ることなく停止する。すなわち、上歯７及び上歯開閉機構９は、図６−２に示す状態で停止する。
【００３７】
もっとも、操作レバー１８を手動でさらに力を加えて位置Ｘ方向へ戻すように操作すると、ピン２１を介して第３バネ２０が圧縮されて、ピン２１が版胴端部溝１９内に埋まり、操作レバー１８が位置Ｘ方向へ移動する。
【００３８】
このように、版仮止め位置上歯停止手段１０の作用により、上歯７を特定の位置で仮止めすることが可能となり、その結果として、手動で版胴の外周面側に版を取り付ける作業も、１人の作業員でも簡単に行うことができ、版取り付け作業の簡易化、効率化に寄与できる。
【００３９】
なお、支持体１４と、ローラフォロア１５と、揺動腕２７と、揺動腕端部２８とが一体的に揺動する構造は、版溝３内で揺動可能であれば、これに限られず、他のカム等によって揺動する揺動体であっても良い。また、上歯開閉機構９は、カムフォロア１５がピストン１３及び第２バネ１２を介して、上歯７を開閉動作させる構成であるが、これに限られず、直接的に上歯７を押圧する構成であっても良い。
【００４０】
さらに、万力装置４に手動で版Ｈを取り付ける版取り付け方法について、その手順を図５、図７、及び図８を用いて説明する。
【００４１】
まず、咥え側万力６の開口した上歯と下歯との間に版Ｈの一方の端を挿入して把持させ、続いて押さえローラ等の工具で版Ｈの表面を押しつけた状態で、版胴１を回転させる。次に、咥え尻側万力５の上歯７と下歯８との間に版Ｈの他端を挿入させるのであるが、ここで予め、操作レバー１８を用いて、上歯開閉機構９及び版仮止め位置上歯停止手段１０の作用により、上歯７を仮止め位置に停止させておく。すなわち、上歯７が図７−２に示す状態になるように、操作レバーを図８−３の位置に回転させておく。上歯７が、図７−２に示すような仮止め位置にあることを確認した上で、上歯７と下歯８との間に版Ｈの他端を挿入させる。そして、一旦、版Ｈから手を離した状態又は版Ｈを押しつけていた力を低減させた状態としても、版Ｈが版胴１の外周面に巻き付いている仮止め状態が保持できるような状態にする。
【００４２】
次に、図７−２に示すような仮止め位置にある上歯７を全閉状態とさせて、上歯７と下歯８との間に版Ｈの他端を把持させるため、操作レバー１８を位置Ｙの方向へ回す。
【００４３】
以上の手順による版取り付け方法によって、これまで同時的に行っていた咥え尻側万力５の上歯７と下歯８との間に版Ｈの他端を挿入してこれを押さえつけている作業と、上歯７を最終的に全閉状態として版Ｈの他端を上歯７と下歯８とで把持させる作業とを分けることができる。その結果として、手動で版胴の外周面側に版を取り付ける作業も、１人の作業員でも簡単に行うことができ、版取り付け作業の簡易化、効率化に寄与することができる。
【実施例２】
【００４４】
図８は、本発明の実施例２に係る咥え尻側万力の概略図である。図９は、図２のＡ方向から見た実施例２に係る咥え尻側万力の構成を示す図である。図１１−１、図１１−２、及び図１１−３は、図８の紙面に平行な面沿って切断した断面図であり、実施例２に係るカムフォロアの位置に応じた版仮止め位置上歯停止手段の状態を示した図である。実施例２に係る咥え尻側万力２２について、図８、図９、図１１−１、及び図１１−２を参照して説明する。なお、実施例１に係る万力装置５の構成と同一であり、重複する部材については、同一符号を付してその説明は省略する。
【００４５】
咥え尻側万力２２は、上歯７と、下歯８と、上歯開閉機構９と、版仮止め位置上歯停止手段２３とから構成される。上歯７と、下歯８と、上歯開閉機構９については、実施例１に係る万力装置５の構成と基本的には同一であるが、図９に示すように、版仮止め位置上歯停止手段２３は、版胴端部１aにはない。図１１−１に示すように、上歯開閉機構９のピストン１３の面上に設けられており、上歯７が全開状態から全閉状態に至る間にローラフォロア１５とピストン１３の面とが当接する軌跡上に設けられている。また、版仮止め位置上歯停止手段２３は、図１１−１に示すように、第４バネ２４とピン２５とから構成されており、ピストン面１３aに設けられたピストン面溝２６の中に設けられている。
【００４６】
ピン２５は、ピン２５に力が加えられていない状態では、図１１−１に示すように、ピストン面１３a上から突出している。しかし、ピン２５を介して第４バネ２４を圧縮するに必要な第４バネ付勢力Ｆ４が加わることで、第４バネ２４が圧縮し、徐々にピン２５はピストン面溝２６内に埋め込まれていく。そして最終的には、図１１−２に示すように、ピン２５全体がピストン面溝２６内に埋め込まれる。
【００４７】
ここで、図１１−１から図１１−２に至るまでに、ピン２５には、ローラフォロア１５が回る際のローラフォロア回転力Ｆr２が加わる。そして、ローラフォロア回転力Ｆr２の一成分力が第４バネ２４を押圧する第４バネ押圧力Ｆt２となり、第４バネ押圧力Ｆt２が第４バネ付勢力Ｆ４以上になるようなローラフォロア回転力Ｆr２で操作レバー１８を回すときに第４バネ２４は圧縮されてピン２５はピストン面溝２６内に埋め込まれる。反対に、第４バネ押圧力Ｆt２が第４バネ付勢力Ｆ４よりも小さい場合になるようなローラフォロア回転力Ｆr２では操作レバー１８を回すときに第４バネ２４は圧縮されずにピン２５はピストン面１３a上から突出した状態を維持する。例えば、図１１−３において、操作レバー１８に対して手動で何の操作もしていないが、ローラフォロア１５が元の位置に戻ろうとする力は働く。しかし、このときのローラフォロア回転力Ｆr２は、手動で操作レバー１８を回転させることによって発生する際のそれと比較して小さく、このときの第４バネ押圧力Ｆt２は第４バネ付勢力Ｆ４よりも小さい力となっている。
【００４８】
次に、版仮止め位置上歯停止手段２３の作用について図８、図９、図１０、図１１−１、図１１−２、及び図１１−３を用いて説明する。ここで、図１０は、上歯７の開閉動作に応じた上歯開閉機構９の状態を示した図である。また、図１１−１から図１１−３と順々に移行するにつれ、上歯７は閉動作を行うものとする。また、図１１−３で示されているローラフォロア１５及び版仮止め位置上歯停止手段２３の状態のときに対応する上歯７及び上歯開閉機構９の状態が、図１０−２である。
【００４９】
まず、操作レバー１８を位置Ｘから操作していくと、図１１−１のように、ローラフォロア１５がピン２５に接触する。さらに操作レバー１８を図９の時計回りに回転させると、ローラフォロア１５によってピン２５を介して第４バネ２４が圧縮される。こうして、第４バネ２４が押圧されて圧縮されるに従い、徐々にピン２５がピストン面溝２６内に埋まっていく。
【００５０】
操作レバー１８を図９の時計回りにさらに回すと、やがて図１１−２のように、ローラフォロア１５によって完全にピン２５がピストン面溝２６の中に埋まる。またさらに操作レバー１８を図９の時計回りに回すと、ローラフォロア１５によるピン２５を介して第４バネ２４に加わる外力は徐々に除かれ、ローラフォロア１５が図１１−３で示した位置に至ったところで、ピン２５を介して第４バネ２４に加わる外力は完全に除かれ、版仮止め位置上歯停止手段２３は図１１−１で示す状態に戻って、ピン２５はピストン面１３a上から突出する。
【００５１】
ここで、ローラフォロア１５が図１１−３で示した位置に至ったところで、操作レバー１８の操作を止めると、ピン２５がストッパーとなるため、ローラフォロア１５は、図１１−１に示す位置へ戻ることなく停止する。すなわち、上歯７及び上歯開閉機構９は、図１２−２に示す状態で停止する。
【００５２】
もっとも、操作レバー１８を位置Ｘ方向へ戻すように操作すると、ローラフォロア１５がピン２５を介して第３バネ２０を圧縮し、ピン２５がピストン面溝２６内に埋まり、操作レバー１８が位置Ｘ方向へ移動する。
【００５３】
このように、版仮止め位置上歯停止手段２３の作用により、上歯開閉機構９ないし上歯７を特定の位置で仮止めすることが可能となり、その結果として、手動で版胴の外周面側に版を取り付ける作業も、１人の作業員でも簡単に行うことができ、版取り付け作業の簡易化、効率化に寄与することができる。
【００５４】
なお、支持体１４と、ローラフォロア１５と、揺動腕２７と、揺動腕端部２８とが一体的に揺動する構造は、版溝３内で揺動可能であれば、これに限られず、他のカム等によって揺動する揺動体であっても良い。また、上歯開閉機構９は、カムフォロア１５がピストン１３及び第２バネ１２を介して、上歯７を開閉動作させる構成であるが、これに限られず、直接的に上歯７を押圧する構成であっても良い。
【００５５】
なお、手動で版Ｈを取り付ける版取り付け方法についても、その手順は実施例１に係る版取り付け方法と変わるところはない。したがって、これまで同時的に行っていた咥え尻側万力５の上歯７と下歯８との間に版Ｈの他端を挿入してこれを押さえつけている作業と、上歯７を最終的に全閉状態として版Ｈの他端を上歯７と下歯８とで把持させる作業とを分けることができる。その結果として、手動で版胴の外周面側に版を取り付ける作業も、１人の作業員でも簡単に行うことができ、版取り付け作業の簡易化、効率化に寄与できる。
【産業上の利用可能性】
【００５６】
以上のように、本発明に係る印刷機の万力装置及び印刷機、並びに版張り付け方法は、手動で版胴の外周面側に版を取り付ける作業に有用であり、特に、１人の作業員で版胴の外周面側に版を取り付けることに有用である。
【図面の簡単な説明】
【００５７】
【図１】実施例１に係る印刷機を示す概略図である。
【図２】実施例１に係る版胴の斜視図である。
【図３】実施例１に係る版胴の斜視図である。
【図４】実施例１に係る咥え尻側万力の構成の概略図である。
【図５】実施例１に係る咥え尻側万力の構成を図２のA方向から見た図である。
【図６−１】実施例１に係る咥え尻側万力の上歯の開閉動作に応じた上歯開閉機構の状態を示した図である。
【図６−２】実施例１に係る咥え尻側万力の上歯の開閉動作に応じた上歯開閉機構の状態を示した図である。
【図６−３】実施例１に係る咥え尻側万力の上歯の開閉動作に応じた上歯開閉機構の状態を示した図である。
【図７−１】実施例１に係る操作レバーの位置に応じた版仮止め位置上歯停止手段の状態を示した図である。
【図７−２】実施例１に係る操作レバーの位置に応じた版仮止め位置上歯停止手段の状態を示した図である。
【図７−３】実施例１に係る操作レバーの位置に応じた版仮止め位置上歯停止手段の状態を示した図である。
【図８】実施例２に係る咥え尻側万力の概略図である。
【図９】実施例２に係る咥え尻側万力の構成を図２のA方向から見た図である。
【図１０−１】実施例２に係る咥え尻側万力の上歯の開閉動作に応じた上歯開閉機構の状態を示した図である。
【図１０−２】実施例２に係る咥え尻側万力の上歯の開閉動作に応じた上歯開閉機構の状態を示した図である。
【図１０−３】実施例２に係る咥え尻側万力の上歯の開閉動作に応じた上歯開閉機構の状態を示した図である。
【図１１−１】図８の紙面に平行な面に沿って切断した実施例２に係る咥え尻側万力の断面図であって、実施例２に係る咥え尻側万力のローラフォロアの位置に応じた版仮止め位置上歯停止手段の状態を示した図である。
【図１１−２】図８の紙面に平行な面に沿って切断した実施例２に係る咥え尻側万力の断面図であって、実施例２に係る咥え尻側万力のローラフォロアの位置に応じた版仮止め位置上歯停止手段の状態を示した図である。
【図１１−３】図８の紙面に平行な面に沿って切断した実施例２に係る咥え尻側万力の断面図であって、実施例２に係る咥え尻側万力のローラフォロアの位置に応じた版仮止め位置上歯停止手段の状態を示した図である。
【符号の説明】
【００５８】
１  版胴
１a  版胴端部
２  回転軸
３  版溝
４  万力装置
５、２２  咥え尻側万力
６  咥え側万力
７  上歯
７a  上歯端部
７b  上歯先端部
８  下歯
９  上歯開閉機構
１０、２３  版仮止め位置上歯停止手段
１１  第１バネ
１２  第２バネ
１３  ピストン
１４  揺動軸
１５  ローラフォロア
１６  上歯回転軸
１７  堰
１８  操作レバー
１９  版胴端部溝
２０、２４  第３バネ
２１、２５  ピン
２６  ピストン面溝
２７  揺動腕
２８  揺動腕端部
Ｆ０  外力
Ｆ１  第１付勢力
Ｆ２  第２付勢力
Ｆ３  第３バネ付勢力
Ｆ４  第４バネ付勢力
Ｆr１  操作レバー回転力
Ｆr２  ローラフォロア回転力
Ｆt１  第３バネ押圧力
Ｆt２  第４バネ押圧力
Ｍ１  第１モーメント
Ｍ２  第２モーメント
Ｈ  版
S  隙間
【図１】
2009178890.tif 000003
【図２】
2009178890.tif 000004
【図３】
2009178890.tif 000005
【図４】
2009178890.tif 000006
【図５】
2009178890.tif 000007
【図６−１】
2009178890.tif 000008
【図６−２】
2009178890.tif 000009
【図６−３】
2009178890.tif 000010
【図７−１】
2009178890.tif 000011
【図７−２】
2009178890.tif 000012
【図７−３】
2009178890.tif 000013
【図８】
2009178890.tif 000014
【図９】
2009178890.tif 000015
【図１０−１】
2009178890.tif 000016
【図１０−２】
2009178890.tif 000017
【図１０−３】
2009178890.tif 000018
【図１１−１】
2009178890.tif 000019
【図１１−２】
2009178890.tif 000020
【図１１−３】
2009178890.tif 000021